(57)【要約】【課題】ポーリング通信により発呼側のファクシミリ装置が被呼側のファクシミリ装置に蓄積されている複数の画像データから何れかを指定して受信する際に、発呼側のファクシミリ装置においてユーザが指定する画像データの内容を予め把握することを可能とするファクシミリ通信方法及びファクシミリ装置を提供すること。【解決手段】被呼側装置Ｂが画像データにヘッダ情報とサムネイル情報を付加した画像ファイルを予め自装置内に蓄積し、発呼側装置Ａが画像ファイルに含まれているヘッダ情報とサムネイル情報の両方又はいずれか一方のリストをポーリング通信により被呼側装置Ｂから取り出し、発呼側装置Ａが取り出したリストを出力して該リストに含まれる情報の指定を受付けるとともに指定された情報が付加された画像データをポーリング通信により被呼側装置Ｂから取り出す。【選択図】      図３
2006101420.tif 000002
【特許請求の範囲】
【請求項１】
ポーリング通信を利用したファクシミリ通信方法であって、
被呼側装置が画像データにヘッダ情報を付加した画像ファイルを予め自装置内に蓄積するステップと、発呼側装置が前記画像ファイルに含まれているヘッダ情報のリストをポーリング通信により前記被呼側装置から取り出すステップと、前記発呼側装置が取り出したヘッダ情報のリストを出力して該リストに含まれるヘッダ情報の指定を受付けるとともに指定されたヘッダ情報が付加された画像データをポーリング通信により前記被呼側装置から取り出すステップと、を含んでなることを特徴とするファクシミリ通信方法。
【請求項２】
ポーリング通信を利用したファクシミリ通信方法であって、
被呼側装置が画像データにサムネイル情報を付加した画像ファイルを予め自装置内に蓄積するステップと、発呼側装置が前記画像ファイルに含まれているサムネイル情報のリストをポーリング通信により前記被呼側装置から取り出すステップと、前記発呼側装置が取り出したサムネイル情報のリストを出力して該リストに含まれるサムネイル情報の指定を受付けるとともに指定されたサムネイル情報が付加された画像データをポーリング通信により前記被呼側装置から取り出すステップと、を含んでなることを特徴とするファクシミリ通信方法。
【請求項３】
画像データにヘッダ情報を付加した画像ファイルを蓄積する蓄積手段と、外部装置からの送信要求に応じて前記画像ファイルに含まれているヘッダ情報のリストを前記外部装置に送信する第１の送信手段と、該手段による前記ヘッダ情報のリストの送信後に前記外部装置から送信要求があった画像データを前記外部装置に送信する第２の送信手段と、を備えることを特徴とするファクシミリ装置。
【請求項４】
画像データにサムネイル情報を付加した画像ファイルを蓄積する蓄積手段と、外部装置からの送信要求に応じて前記画像ファイルに含まれているサムネイル情報のリストを前記外部装置に送信する第１の送信手段と、該手段による前記サムネイル情報のリストの送信後に前記外部装置から送信要求があった画像データを前記外部装置に送信する第２の送信手段と、を備えることを特徴とするファクシミリ装置。
【請求項５】
画像データにヘッダ情報を付加した画像ファイルを蓄積する外部装置に対してヘッダ情報のリストの送信を要求する第１の要求手段と、該手段の要求に応じて前記外部装置から送信されたヘッダ情報のリストを受信する第１の受信手段と、該手段が受信したヘッダ情報のリストを出力して該リストに含まれるヘッダ情報の指定を受付ける指定受付手段と、該手段が指定を受付けたヘッダ情報が付加された画像データの送信を前記外部装置に要求する第２の要求手段と、該手段の要求に応じて前記外部装置から送信された画像データを受信する第２の受信手段と、を備えることを特徴とするファクシミリ装置。
【請求項６】
画像データにサムネイル情報を付加した画像ファイルを蓄積する外部装置に対してサムネイル情報のリストの送信を要求する第１の要求手段と、該手段の要求に応じて前記外部装置から送信されたサムネイル情報のリストを受信する第１の受信手段と、該手段が受信したサムネイル情報のリストを出力して該リストに含まれるサムネイル情報の指定を受付ける指定受付手段と、該手段が指定を受付けたサムネイル情報が付加された画像データの送信を前記外部装置に要求する第２の要求手段と、該手段の要求に応じて前記外部装置から送信された画像データを受信する第２の受信手段と、を備えることを特徴とするファクシミリ装置。
【請求項７】
画像データにヘッダ情報とサムネイル情報を付加した画像ファイルを蓄積する外部装置に対してヘッダ情報とサムネイル情報の両方又はいずれか一方のリストの送信を要求する第１の要求手段と、該手段の要求に応じて前記外部装置から送信されたリストを受信する第１の受信手段と、該手段が受信したリストを出力して該リストに含まれるヘッダ情報又はサムネイル情報の指定を受付ける指定受付手段と、該手段が指定を受付けたヘッダ情報又はサムネイル情報が付加された画像データの送信を前記外部装置に要求する第２の要求手段と、該手段の要求に応じて前記外部装置から送信された画像データを受信する第２の受信手段と、を備えることを特徴とするファクシミリ装置。
【請求項８】
前記外部装置に送信を要求するリストの選択を受付ける選択受付手段を備え、
前記第１の要求手段は、前記選択受付手段が受付けた選択に基づいて前記外部装置に対して前記リストの送信を要求することを特徴とする請求項７記載のファクシミリ装置。
【請求項９】
前記指定受付手段は、前記第１の受信手段が受信したリストを表示又は用紙に記録して前記指定を受付けることを特徴とする請求項５乃至８のいずれか１に記載のファクシミリ装置。
【発明の詳細な説明】
【技術分野】
【０００１】
本発明は、ファクシミリ通信方法及びファクシミリ装置に関し、詳しくは、ポーリング通信により発呼側のファクシミリ装置が被呼側のファクシミリ装置からその装置に蓄積されている画像データを受信するファクシミリ通信方法及びその方法に使用される発呼側のファクシミリ装置と被呼側のファクシミリ装置に関する。
【背景技術】
【０００２】
ファクシミリ通信により原稿の画像データを送受信するファクシミリ装置の中には、外部装置に発呼してその装置（被呼側装置）に蓄積されている画像データの送信を被呼側装置に要求し、その要求に応じて被呼側装置から送信された画像データを受信することにより、被呼側装置に蓄積されている画像データを取り出すことができる、いわゆるポーリング受信機能を備えたものがある（例えば、特許文献１参照。）。
【０００３】
特許文献１に開示されているファクシミリ装置は、ＩＴＵ−Ｔ（国際電気通信連合電気通信標準化部門）の勧告に準拠したファクシミリ通信手順にて、外部装置（被呼側のファクシミリ装置）に発呼した後に、ポーリング送信を要求するＤＴＣ（デジタル送信命令）信号を送信するとともに、ユーザによって指定されたファイル番号を含むＳＥＰ（選択ポーリング）信号を外部装置に送信する。これに対し、外部装置は、ＳＥＰ信号を解析してファイル番号を抽出し、抽出したファイル番号と予め自装置内に蓄積している画像データ（画像ファイル）のファイル番号とを照合し、ファイル番号が一致する画像データを発呼側のファクシミリ装置に送信する。
【０００４】
したがって、特許文献１に開示されているようなポーリング受信機能を備えた従来のファクシミリ装置（発呼側のファクシミリ装置）では、ユーザは、ファイル番号を指定することにより、外部装置に蓄積されている画像データの中から必要な画像データを任意に選択して取り出すことができる。
【特許文献１】特開平１１−４３３２号公報
【発明の開示】
【発明が解決しようとする課題】
【０００５】
しかしながら、ユーザがファイル番号に対応する外部装置の画像データの内容を予め把握している場合には、ファイル番号を指定して任意の画像データを外部装置から取り出すことができるが、画像データの内容を予め把握していない場合には、取り出したい画像データを正しく指定することができない。そのため、場合によってはユーザが必要としない画像データが外部装置から送信され、無駄な通信コストがかかるという問題があった。
【０００６】
本発明は、かかる課題に鑑みてなされたものであり、ポーリング通信により発呼側のファクシミリ装置が被呼側のファクシミリ装置に蓄積されている複数の画像データから何れかを指定して受信する際に、発呼側のファクシミリ装置においてユーザが指定する画像データの内容を予め把握することを可能とするファクシミリ通信方法及びファクシミリ装置を提供することを目的とする。
【課題を解決するための手段】
【０００７】
上記目的を達成するために、請求項１記載のファクシミリ通信方法は、ポーリング通信を利用したファクシミリ通信方法であって、被呼側装置が画像データにヘッダ情報を付加した画像ファイルを予め自装置内に蓄積するステップと、発呼側装置が前記画像ファイルに含まれているヘッダ情報のリストをポーリング通信により前記被呼側装置から取り出すステップと、前記発呼側装置が取り出したヘッダ情報のリストを出力して該リストに含まれるヘッダ情報の指定を受付けるとともに指定されたヘッダ情報が付加された画像データをポーリング通信により前記被呼側装置から取り出すステップと、を含んでなることを特徴としている。
【０００８】
請求項２記載のファクシミリ通信方法は、ポーリング通信を利用したファクシミリ通信方法であって、被呼側装置が画像データにサムネイル情報を付加した画像ファイルを予め自装置内に蓄積するステップと、発呼側装置が前記画像ファイルに含まれているサムネイル情報のリストをポーリング通信により前記被呼側装置から取り出すステップと、前記発呼側装置が取り出したサムネイル情報のリストを出力して該リストに含まれるサムネイル情報の指定を受付けるとともに指定されたサムネイル情報が付加された画像データをポーリング通信により前記被呼側装置から取り出すステップと、を含んでなることを特徴としている。
【０００９】
請求項３記載のファクシミリ装置は、画像データにヘッダ情報を付加した画像ファイルを蓄積する蓄積手段と、外部装置からの送信要求に応じて前記画像ファイルに含まれているヘッダ情報のリストを前記外部装置に送信する第１の送信手段と、該手段による前記ヘッダ情報のリストの送信後に前記外部装置から送信要求があった画像データを前記外部装置に送信する第２の送信手段と、を備えることを特徴としている。
【００１０】
請求項４記載のファクシミリ装置は、画像データにサムネイル情報を付加した画像ファイルを蓄積する蓄積手段と、外部装置からの送信要求に応じて前記画像ファイルに含まれているサムネイル情報のリストを前記外部装置に送信する第１の送信手段と、該手段による前記サムネイル情報のリストの送信後に前記外部装置から送信要求があった画像データを前記外部装置に送信する第２の送信手段と、を備えることを特徴としている。
【００１１】
請求項５記載のファクシミリ装置は、画像データにヘッダ情報を付加した画像ファイルを蓄積する外部装置に対してヘッダ情報のリストの送信を要求する第１の要求手段と、該手段の要求に応じて前記外部装置から送信されたヘッダ情報のリストを受信する第１の受信手段と、該手段が受信したヘッダ情報のリストを出力して該リストに含まれるヘッダ情報の指定を受付ける指定受付手段と、該手段が指定を受付けたヘッダ情報が付加された画像データの送信を前記外部装置に要求する第２の要求手段と、該手段の要求に応じて前記外部装置から送信された画像データを受信する第２の受信手段と、を備えることを特徴としている。
【００１２】
請求項６記載のファクシミリ装置は、画像データにサムネイル情報を付加した画像ファイルを蓄積する外部装置に対してサムネイル情報のリストの送信を要求する第１の要求手段と、該手段の要求に応じて前記外部装置から送信されたサムネイル情報のリストを受信する第１の受信手段と、該手段が受信したサムネイル情報のリストを出力して該リストに含まれるサムネイル情報の指定を受付ける指定受付手段と、該手段が指定を受付けたサムネイル情報が付加された画像データの送信を前記外部装置に要求する第２の要求手段と、該手段の要求に応じて前記外部装置から送信された画像データを受信する第２の受信手段と、を備えることを特徴としている。
【００１３】
請求項７記載のファクシミリ装置は、画像データにヘッダ情報とサムネイル情報を付加した画像ファイルを蓄積する外部装置に対してヘッダ情報とサムネイル情報の両方又はいずれか一方のリストの送信を要求する第１の要求手段と、該手段の要求に応じて前記外部装置から送信されたリストを受信する第１の受信手段と、該手段が受信したリストを出力して該リストに含まれるヘッダ情報又はサムネイル情報の指定を受付ける指定受付手段と、該手段が指定を受付けたヘッダ情報又はサムネイル情報が付加された画像データの送信を前記外部装置に要求する第２の要求手段と、該手段の要求に応じて前記外部装置から送信された画像データを受信する第２の受信手段と、を備えることを特徴としている。
【００１４】
請求項８記載のファクシミリ装置は、請求項７に記載のファクシミリ装置において、前記外部装置に送信を要求するリストの選択を受付ける選択受付手段を備え、前記第１の要求手段は、前記選択受付手段が受付けた選択に基づいて前記外部装置に対して前記リストの送信を要求することを特徴としている。
【００１５】
請求項９記載のファクシミリ装置は、請求項５乃至８のいずれか１に記載のファクシミリ装置において、前記指定受付手段は、前記第１の受信手段が受信したリストを表示又は用紙に記録して前記指定を受付けることを特徴としている。
【発明の効果】
【００１６】
請求項１に記載のファクシミリ通信方法によれば、発呼側装置（発呼側のファクシミリ装置）において、ヘッダ情報のリストが出力されるため、ユーザは、指定する画像データ（画像ファイル）の内容（ファイル作成日時やデータサイズなど）を予め把握することができる。したがって、取り出したい画像データを正確に指定することができる。
【００１７】
請求項２に記載のファクシミリ通信方法によれば、発呼側装置において、サムネイル情報のリストが出力されるため、ユーザは、画像データの縮小画像であるサムネイル情報を見て、指定する画像データの内容を予め把握することができる。したがって、取り出したい画像データを正確に指定することができる。
【００１８】
請求項３に記載のファクシミリ装置によれば、自装置内に蓄積している画像ファイルに含まれているヘッダ情報のリストを外部装置（発呼側のファクシミリ装置）に送信するので、外部装置でそのリストを出力することにより、外部装置のユーザは、出力されたヘッダ情報のリストを見て指定する画像データの内容を予め把握することができる。
【００１９】
請求項４に記載のファクシミリ装置によれば、自装置内に蓄積している画像ファイルに含まれているサムネイル情報のリストを外部装置（発呼側のファクシミリ装置）に送信するので、外部装置でそのリストを出力することにより、外部装置のユーザは、出力されたサムネイル情報のリストを見て指定する画像データの内容を予め把握することができる。
【００２０】
請求項５に記載のファクシミリ装置によれば、外部装置（被呼側のファクシミリ装置）に蓄積されている画像データに付加されたヘッダ情報のリストが出力されるため、ユーザは、出力されたヘッダ情報のリストを見て指定する画像データの内容を予め把握することができ、取り出したい画像データを正確に指定することができる。
【００２１】
請求項６に記載のファクシミリ装置によれば、外部装置（被呼側のファクシミリ装置）に蓄積されている画像データに付加されたサムネイル情報のリストが出力されるため、ユーザは、出力されたサムネイル情報のリストを見て指定する画像データの内容を予め把握することができ、取り出したい画像データを正確に指定することができる。
【００２２】
請求項７に記載のファクシミリ装置によれば、外部装置（被呼側のファクシミリ装置）に蓄積されている画像データに付加されているヘッダ情報とサムネイル情報の両方又はいずれか一方のリストが出力されるため、ユーザは、出力されたリストを見て指定する画像データの内容を予め把握することができる。なお、ヘッダ情報とサムネイル情報の両方のリストが出力された場合には、これらのリストのいずれか一方が出力される場合に比べ、より明確に画像データの内容を把握することができる。
【００２３】
請求項８に記載のファクシミリ装置によれば、ユーザは、ヘッダ情報のリスト、サムネイル情報のリスト、及びヘッダ情報とサムネイル情報の両方のリストの中から、取り出したい画像データの内容を把握し易いリストを選択することができる。
【００２４】
請求項９に記載のファクシミリ装置によれば、指定受付手段は、第１の受信手段が受信したリストを表示又は用紙に記録するので、ユーザは、表示されたリスト又は用紙に記録されたリストを見て、取り出したい画像データの内容を容易に把握することができる。
【発明を実施するための最良の形態】
【００２５】
以下、本発明の実施の形態に係るファクシミリ通信方法及びファクシミリ装置について、図面に基づき説明する。図１は、本実施の形態に係るファクシミリ通信方法によりファクシミリ通信を行う発呼側装置（発呼側のファクシミリ装置）Ａと被呼側装置（被呼側のファクシミリ装置）Ｂの構成例を示したブロック図である。発呼側装置Ａと被呼側装置Ｂは、ともにポーリング通信を利用したファクシミリ通信を行う機能を有しており、ポーリング通信により発呼側装置Ａが被呼側装置Ｂに発呼してその装置に蓄積されているデータを（ファクシミリ）受信することができる。これにより、発呼側装置Ａのユーザは、被呼側装置Ｂに蓄積されている画像データ等を取り出すことができる。まず、発呼側装置Ａの構成について以下に説明する。
【００２６】
発呼側装置Ａは、図示するように、制御部（ＭＰＵ：Microprocessing Unit）１、ＲＯＭ（Read Only Memory）２、ＲＡＭ（Random Access Memory）３、原稿読取部４、コーデック（ＣＯＤＥＣ：Coder and Decoder）５、画像メモリ６、記録部７、操作部８、表示部９、及び通信部１０を備えたものであって、各部１乃至１０は、バス１１によって通信可能に接続されている。
【００２７】
制御部１は、この発呼側装置Ａを構成する各部を制御する。ＲＯＭ２は、制御部１によって発呼側装置Ａの各部が制御されるための制御プログラムを格納している。ＲＡＭ３は、制御部１の主メモリ、ワークエリア等として機能し、予め登録されたファクシミリ番号（電話番号）などの各種設定情報を格納している。
【００２８】
原稿読取部４は、原稿の画像データを読取るものであり、図示しないがＣＣＤ（Charge Coupled Device）等のイメージセンサや光源等の光学系を具備するフラット・ベッド・スキャナ（ＦＢＳ：Flat Bed Scanner）、自動原稿給送装置（ＡＤＦ：Automatic Document Feeder）等を有して構成されている。なお、この原稿読取部４では、原稿のカラー及びモノクロの双方の画像データを読取ることが可能である。
【００２９】
コーデック５は、コピーやファクシミリ送受信などのために画像データを符号化及び復号するものである。すなわち、原稿読取部４で読取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、ファクシミリ受信した画像データなどを復号する。画像メモリ６は、原稿読取部４で読取られた画像データ、原稿読取部４で読取られた後にコーデック５において符号化された画像データ、ファクシミリ受信した画像データなどを格納する。記録部７は、画像メモリ６から読み出された画像データのカラー画像又はモノクロ画像を用紙に記録するものである。この記録部７における記録方式としては、例えば、電子写真方式を用いることができる。
【００３０】
操作部８は、図示しないが、原稿読取部４に原稿の読取り開始を指示するためのスタートキー、ファクシミリ番号やコピー部数等を入力するためのテンキー、各種設定を行うためのカーソルキーなど、表示部９と連動した各種操作キーを備えている。表示部９は、各種の設定状態や自装置Ａの動作状態などを文字や図形などで表示する液晶表示装置（ＬＣＤ：Liquid Crystal Display）１３や、点灯又は消灯で表示するＬＥＤランプ１４などを備えている。なお、液晶表示装置１３は、いわゆるタッチパネル式のものであり、操作部８に代えてこの液晶表示装置１３の画面をユーザが指等で触れることにより各種の操作を行うことができる。
【００３１】
通信部１０は、モデム１５及びＮＣＵ（Network Control Unit）１６を備えている。モデム１５は、例えばＩＴＵ−Ｔ（国際電気通信連合電気通信標準化部門）の勧告Ｖ．３０規格又はこれと同様のものに従った送受信データの変調及び復調を行うものである。ＮＣＵ１６は、電話回線を制御して電話をかけたり、切ったりする回線網制御装置であり、ＰＳＴＮ（Public Switched Telephone Network）１７に接続されている。制御部１は、この通信部１０を制御してカラー画像データ及びモノクロ画像データの双方の画像データのファクシミリ送受信を行うことができる。
【００３２】
上記構成を備えた発呼側装置Ａは、原稿読取部４で原稿から読取った画像データの画像を用紙に記録するコピー機能、外部装置と原稿の画像データをファクシミリ送受信するファクシミリ通信機能の他に、外部装置（ここでは、被呼側装置Ｂ）に発呼してその装置が蓄積している画像ファイルを取り出す（受信する）ポーリング受信機能を備えている。
【００３３】
一方、被呼側装置Ｂは、制御部２１、ＲＯＭ２２、ＲＡＭ２３、原稿読取部２４、コーデック２５、画像メモリ２６、記録部２７、操作部２８、表示部２９、通信部３０、及びＨＤＤ（Hard Disk Drive）３１を備えたものであって、各部２１乃至３１は、バス３２によって通信可能に接続されている。
【００３４】
制御部２１は、この被呼側装置Ｂを構成する各部を制御する。ＲＯＭ２２は、制御部２１によって被呼側装置Ｂの各部が制御されるための制御プログラムを格納している。ＲＡＭ２３は、制御部２１の主メモリ、ワークエリア等として機能し、予め登録されたファクシミリ番号などの各種設定情報を格納している。
【００３５】
原稿読取部２４は、発呼側装置Ａの原稿読取部４と同様に構成されており、原稿のカラー及びモノクロの双方の画像データを読取ることが可能である。コーデック２５は、コーデック５と同様に、画像データをＪＰＥＧ、ＭＨ、ＭＲ、ＭＭＲ、ＪＢＩＧ方式等により符号化又は復号する。画像メモリ２６は、原稿読取部２４で読取られた原稿の画像データ、原稿読取部２４で読取られた後にコーデック２５において符号化された画像データ、ファクシミリ受信した画像データなどを格納する。記録部２７は、画像メモリ２６から読み出された画像データのカラー画像又はモノクロ画像を用紙に記録するものである。この記録部２７における記録方式としては、例えば、電子写真方式を用いることができる。
【００３６】
操作部２８は、図示しないが、原稿読取部２４に原稿の読取り開始を指示するためのスタートキー、ファクシミリ番号やコピー部数等を入力するためのテンキー、各種設定を行うためのカーソルキーなど、表示部２９と連動した各種操作キーを備えている。表示部２９は、図示しないが、各種の設定状態や自装置Ｂの動作状態などを文字や図形などで表示する液晶表示装置や、点灯又は消灯で表示するＬＥＤランプなどを備えている。
【００３７】
通信部３０は、モデム３４及びＮＣＵ３５を備えている。モデム３４は、例えばＩＴＵ−Ｔの勧告Ｖ．３０規格又はこれと同様のものに従った送受信データの変調及び復調を行うものである。ＮＣＵ３５は、電話回線を制御して電話をかけたり、切ったりする回線網制御装置であり、ＰＳＴＮ１７に接続されている。制御部２１は、この通信部３０を制御してカラー画像データ及びモノクロ画像データの双方の画像データのファクシミリ送受信を行うことができる。
【００３８】
ＨＤＤ３１は、例えば、原稿読取部２４で読取られた原稿の画像データ、ファクシミリ送受信した原稿の画像データなどの各種画像データにその画像データに関する情報が付加された画像ファイルを蓄積している。このＨＤＤ３１には、それらの画像ファイルを仕分けして管理するために、ボックス番号（或いはボックス名）の異なる複数のメモリボックス３６が設定されており、ユーザは、画像データを画像ファイルとしてＨＤＤ３１に保存させる際に、ボックス番号を操作部２８等から入力して保存先のメモリボックス３６を指定することでき、画像ファイルを仕分けして管理できるようになっている。
【００３９】
図２は、メモリボックス３６に蓄積されている画像ファイルのデータ構造を概略的に示した図である。図示するように、画像ファイルには、画像データ（以下、「実画像データ」という。）と、ヘッダ情報と、サムネイル情報（サムネイル画像データ）と、が含まれている。ここで、実画像データは、所定の符号化方式（ここでは、ＪＰＥＧ方式）で符号化された画像データである。ヘッダ情報は、画像ファイル或いは実画像データに関する情報であり、具体的には、実画像データを含む画像ファイルを作成した日時であるファイル作成日時、画像ファイルのデータサイズ、画像ファイルが蓄積されているメモリボックス３６のボックス番号に相当するサブアドレス等である。サムネイル情報は、実画像データの内容が一目でわかるように、実画像データを縮小した縮小画像データである。
【００４０】
なお、ＨＤＤ３１のメモリボックス３６には、カラー画像ファイルとモノクロ画像ファイルの双方の画像ファイルを蓄積することが可能であるが、ここでは、カラー画像ファイルが蓄積されているものとする。また、メモリボックス３６内に蓄積されているカラー画像ファイルの画像ファイル形式は、画像ファイル内にヘッダ情報とサムネイル情報とを含めることができれば、特に限定されるものではないが、ここでは、ＪＰＥＧ形式である。すなわち、本実施形態においては、メモリボックス３６内にＪＰＥＧ形式のカラー画像ファイルが蓄積されている。
【００４１】
上記構成を備えた被呼側装置Ｂは、原稿読取部２４で原稿から読取った画像データの画像を用紙に記録するコピー機能、外部装置と原稿の画像データをファクシミリ送受信するファクシミリ通信機能の他に、外部装置（ここでは、発呼側装置Ａ）からの発呼を受けて自装置Ｂが蓄積している画像ファイルを発呼側装置Ａに送信するポーリング送信機能を備えている。
【００４２】
以下、発呼側装置Ａと被呼側装置Ｂとの間でポーリング通信が行われる場合に、発呼側装置Ａと被呼側装置Ｂにおいて行われる処理動作ステップについて、図３に示すタイミングチャート及び図４乃至図６に示すフローチャートに基づいて説明する。なお、ここでは、ＩＴＵ−Ｔの勧告Ｔ３０の非標準手順を利用したファクシミリ通信（ポーリング通信）について主に説明するが、標準手順を利用して以下に示すファクシミリ通信を行うことも可能である。また、図４及び図５に示すフローチャートに基づいて説明する発呼側装置Ａの処理動作は、ＲＯＭ２に格納されている制御プログラムに基づいて制御部１が発行する命令に従って行われ、図６に示すフローチャートに基づいて説明する被呼側装置Ｂの処理動作は、ＲＯＭ２２に格納されている制御プログラムに基づいて制御部２１が発行する命令に従って行われる。
【００４３】
被呼側装置Ｂの制御部２１は、図示しない処理動作ステップにおいて画像ファイルを生成し、蓄積手段として機能するＨＤＤ３１のメモリボックス３６は、実画像データにヘッダ情報を付加した画像ファイル、実画像データにサムネイル情報を付加した画像ファイル、実画像データにヘッダ情報とサムネイル情報の両方を付加した画像ファイルを予め蓄積する。なお、ここでは、実画像データにヘッダ情報とサムネイル情報の両方が付加された複数の画像ファイルがメモリボックス３６に予め蓄積されている場合について主に説明する。
【００４４】
発呼側装置Ａの制御部１は、まず、表示部９の液晶表示装置１３又は操作部８におけるユーザの所定操作の有無などに基づいて、ポーリング通信に必要な情報が入力されたか否かを判断する（Ｓ１）。ここで、ポーリング通信に必要な情報とは、ポーリング通信により取り出したい画像データを蓄積している被呼側装置（外部装置）Ｂのファクシミリ番号、被呼側装置Ｂにおいて取り出したい画像データが蓄積されているメモリボックス３６のボックス番号（サブアドレス）等である。
【００４５】
制御部１は、ポーリング通信に必要な情報が入力されたと判断した場合（Ｓ１：ＹＥＳ）、実画像データに先立って被呼側装置Ｂに送信を要求するリストの選択を促す報知処理を実行する（Ｓ２）。具体的には、画像ファイルに含まれているヘッダ情報とサムネイル情報のうち、ヘッダ情報のみのリスト、サムネイル情報のみのリスト、又はヘッダ情報とサムネイル情報の両方のリストのいずれのリストの送信を被呼側装置Ｂに要求するかの選択を促すメッセージを液晶表示装置１３に表示する。これに対し、ユーザは、いずれのリストの送信を要求するかを液晶表示装置１３（又は操作部８）から選択することができる。そして、制御部１は、ユーザによって液晶表示装置１３又は操作部８から被呼側装置Ｂに送信を要求するリストが選択されたか否かを判断する（Ｓ３）。なお、Ｓ２の報知処理は、Ｓ３において送信を要求するリストが選択されたと判断するまで継続して行われる。
【００４６】
制御部１は、被呼側装置Ｂに送信を要求するリストが選択されたと判断した場合（Ｓ３：ＹＥＳ）、すなわち、選択受付手段として機能する液晶表示装置１３又は操作部８が被呼側装置Ｂに送信を要求するリストの選択を受付けた場合、操作部８のスタートキーが押下されたか否かに基づいて、ポーリング通信開始命令があったか否かを判断する（Ｓ４）。ここで、ポーリング通信開始命令があったと判断した場合（Ｓ４：ＹＥＳ）、被呼側装置Ｂに発呼してＣＮＧ（呼出トーン）信号を送信する（Ｓ５、Ｐ１）。
【００４７】
一方、被呼側装置Ｂの制御部２１は、発呼側装置Ａから送信されたＣＮＧ信号を受信したか否かに基づいて着呼したか否かを判断する（Ｓ２１）。そして、着呼したと判断すると（Ｓ２１：ＹＥＳ）、Ｓ２２の判断処理を行う前に、発呼側装置Ａに対して自装置Ｂが回線接続された場合に非音声端末であることを示すＣＥＤ（被呼端末識別）信号、非標準機能の有無、及び非標準機能を有する場合はその機能を示すＮＳＦ（非標準機能識別）信号、自装置Ｂの電話番号を示すＣＳＩ（被呼端末識別）信号、及び自装置Ｂの標準ＣＣＩＴＴ能力を示すＤＩＳ（デジタル識別）信号を送信する（Ｐ２、Ｐ３）。
【００４８】
第１の要求手段として機能する発呼側装置Ａの制御部１は、Ｓ５の発呼後に被呼側装置Ｂから送信されたＣＥＤ信号、ＮＳＦ信号、ＣＳＩ信号、及びＤＩＳ信号を受信すると、実画像データにヘッダ情報とサムネイル情報を付加した画像ファイルを蓄積する被呼側装置（外部装置）Ｂに対してポーリング送信を要求するとともに、液晶表示装置１３又は操作部８が受付けた選択に基づいてヘッダ情報とサムネイル情報の両方又はいずれか一方のリストの送信を要求する（Ｓ６、Ｐ４）。具体的には、ポーリング送信を要求するＤＴＣ（デジタル送信命令）信号、ＰＷＤ（パスワード）信号、ユーザによって指定されたボックス番号を含むＳＥＰ（選択ポーリング）信号、ヘッダ情報とサムネイル情報の両方又はいずれか一方のリストの送信を要求する情報（リスト送信要求情報）を含むＮＳＣ（非標準機能命令）信号、自装置Ａの電話番号を示すＣＩＧ（発呼端末識別）信号を被呼側装置Ｂに送信する。
【００４９】
なお、ここでは、実画像データにヘッダ情報とサムネイル情報の両方が付加された画像ファイルが被呼側装置Ｂのメモリボックス３６に蓄積されているため、上記のようなユーザによるリストの選択が可能であるが、実画像データにヘッダ情報のみを付加した画像ファイルを蓄積する被呼側装置Ｂに対しては、ヘッダ情報のリストの送信を要求し、実画像データにサムネイル情報のみを付加した画像ファイルを蓄積する被呼側装置Ｂに対しては、サムネイル情報のリストの送信を要求するようにすればよい。
【００５０】
また、発呼側装置Ａが被呼側装置Ｂに対して標準手順を利用したファクシミリ通信でリストの送信を要求するには、例えばヘッダ情報のみのリストの送信を要求する場合には「００１」、サムネイル情報のみのリストの送信を要求する場合には「００２」、ヘッダ情報とサムネイル情報の両方のリストの送信を要求する場合には「００３」、ヘッダ情報とサムネイル情報と実画像データのリストの送信を要求する場合には「００４」というように、識別コードを発呼側装置Ａと被呼側装置Ｂとの間で予め規定しておく。そして、発呼側装置ＡがＳ３で受付けた選択に対応する識別コードをＰＷＤ信号又はＳＥＰ信号に含めて被呼側装置Ｂに送信するようにすればよい。
【００５１】
一方、被呼側装置Ｂの制御部２１は、ＤＴＣ信号を受信したか否かに基づいてポーリング送信要求があったか否かを判断する（Ｓ２２）。ここで、ポーリング送信要求がなかったと判断した場合（Ｓ２２：ＮＯ）、すなわち、発呼側装置ＡからＤＴＣ信号を受信しなかった場合には、通常のファクシミリ通信手順を行って発呼側装置Ａから送信された画像データを受信する（Ｓ２３）。逆に、ポーリング送信要求があったと判断した場合（Ｓ２２：ＹＥＳ）、Ｓ２４の処理動作を行う前に、受信したＮＳＦ信号により識別される機能に応答するＮＳＳ（非標準機能設定）信号、被呼側装置Ｂの電話番号を示すＴＳＩ（送信端末識別）信号、受信したＤＩＳ信号により識別される標準機能に応答するＤＣＳ（デジタル命令）信号、及び通信のテスト信号であるＴＣＦ（トレーニングチェック）信号を発呼側装置Ａに送信する（Ｐ５）。
【００５２】
これに対し、発呼側装置Ａの制御部１は、被呼側装置Ｂから送信されたＴＣＦ信号に誤りがないことを確認するとＰＩＸ（ピクセルデータ）信号の送信を開始してよいことを示すＣＦＲ（受信準備確認）信号を被呼側装置Ｂに対して送信する（Ｐ６）。このように、発呼側装置Ａは、ＰＩＸ信号を受信するための準備を、被呼側装置ＢはＰＩＸ信号を送信するための準備を行う。
【００５３】
被呼側装置Ｂの制御部２１は、発呼側装置Ａから受信したＮＳＣ信号に含まれているリスト送信要求情報に基づいて、ヘッダ情報のリスト送信要求があったか否かを判断する（Ｓ２４）。ここで、ヘッダ情報のリスト送信要求があったと判断した場合（Ｓ２４：ＹＥＳ）、発呼側装置（外部装置）Ａからの送信要求に応じてメモリボックス３６の画像ファイルに含まれているヘッダ情報のリストを発呼側装置Ａに送信する（Ｓ２５、Ｐ７）。具体的には、発呼側装置Ａから受信したＳＥＰ信号に含まれているボックス番号のメモリボックス３６に蓄積されている全ての画像ファイルからヘッダ情報を抽出してそれらをまとめたリストを作成し、作成したヘッダ情報のリストを発呼側装置Ａに送信する。なお、ＮＳＣ信号に基づいてヘッダ情報のリスト送信要求はなかったと判断した場合には（Ｓ２４：ＮＯ）、Ｓ２５の処理動作を行うことなくＳ２６に進む。
【００５４】
続いて、制御部２１は、発呼側装置Ａから受信したＮＳＣ信号に含まれているリスト送信要求情報に基づいてサムネイル情報のリスト送信要求があったか否かを判断する（Ｓ２６）。ここで、サムネイル情報のリスト送信要求があったと判断した場合（Ｓ２６：ＹＥＳ）、発呼側装置Ａからの送信要求に応じてメモリボックス３６の画像ファイルに含まれているサムネイル情報のリストを発呼側装置Ａに送信する（Ｓ２７、Ｐ７）。具体的には、発呼側装置Ａから受信したＳＥＰ信号に含まれているボックス番号のメモリボックス３６に蓄積されている全ての画像ファイルからサムネイル情報を抽出してそれらをまとめたリストを作成し、作成したサムネイル情報のリストを発呼側装置Ａに送信する。なお、ＮＳＣ信号に基づいてサムネイル情報のリスト送信要求はなかったと判断した場合には（Ｓ２６：ＮＯ）、Ｓ２７の処理動作を行うことなくＳ２８に進む。
【００５５】
上記の説明から明らかなように、第１の送信手段として機能する被呼側装置Ｂの制御部２１は、Ｓ２５及びＳ２７の処理動作の両方又はいずれか一方を行うことにより、発呼側装置Ａからの送信要求に応じて画像ファイルに含まれているヘッダ情報のリスト、サムネイル情報のリスト、又はヘッダ情報とサムネイル情報の両方のリストを発呼側装置Ａに送信する。このように、発呼側装置ＡのＳ６、及び被呼側装置ＢのＳ２５とＳ２７の両方又はいずれか一方の処理動作ステップにより、発呼側装置Ａがメモリボックス３６の画像ファイルに含まれているヘッダ情報のリストとサムネイル情報のリストの両方又はいずれか一方をポーリング通信により被呼側装置Ｂから取り出す。このとき、被呼側装置Ｂは、メモリボックス３６内の全画像ファイルの１ページ目に対応する情報のみのリストを送信する。
【００５６】
次に、制御部２１は、実画像データの送信要求があったか否かを判断する（Ｓ２８）。ここでは、リストの送信要求を受けて少なくともＳ２５とＳ２７の処理動作のいずれか一方を行っているため、実画像データの送信要求はなかったと判断し（Ｓ２８：ＮＯ）、回線を切断する（Ｓ２９）。すなわち、Ｓ２５とＳ２７の両方又はいずれか一方の処理動作を行ってリスト（ＰＩＸ信号）を送信した後に、ＰＩＸ信号を全て送信したことを示すＥＯＰ（手順終了）信号を発呼側装置Ａに送信する（Ｐ８）。そして、ＥＯＰ信号の肯定応答であるＭＣＦ（メッセージ確認）信号を発呼側装置Ａから受信した後に、ＤＣＮ（切断命令）信号を発呼側装置Ａに送信して回線を切断する（Ｐ１０）。
【００５７】
一方、発呼側装置Ａの制御部１は、被呼側装置Ｂの制御部２１によりＳ２５とＳ２７の両方又はいずれか一方の処理動作が行われて被呼側装置Ｂから送信されたリストを受信したか否かを判断する（Ｓ７）。ここで、第１の受信手段として機能する制御部１は、自身の送信要求に応じて被呼側装置Ｂ（外部装置）から送信されたリストを受信したと判断した場合（Ｓ７：ＹＥＳ）、すなわち、被呼側装置Ｂから送信されたリスト（ＰＩＸ信号）を受信した後に前記ＥＯＰ信号を受信すると、前記ＭＣＦ信号を被呼側装置Ｂに送信し（Ｐ９）、受信したリストを出力して該リストに含まれる情報の指定を促す報知処理を実行する（Ｓ８）。具体的には、自身の要求に応じて被呼側装置Ｂから送信されたヘッダ情報のリスト、サムネイル情報のリスト、又はヘッダ情報のリストとサムネイル情報のリストの両方を受信し、指定受付手段として機能する液晶表示装置１３又は液晶表示装置１３と記録部７の両方は、受信したリストを出力して該リストに含まれる情報（ヘッダ情報又はサムネイル情報）の指定を受付ける。すなわち、受信したリストを液晶表示装置１３に表示するか、又は受信したリストに対応する画像を記録部７において用紙に記録して排紙トレイ（不図示）に排出して情報の指定を受付ける。
【００５８】
図７は、Ｓ６において、被呼側装置Ｂにヘッダ情報のリストの送信を要求し、被呼側装置Ｂからヘッダ情報のリストを受信した場合に、Ｓ８において液晶表示装置１３に表示されるヘッダ情報一覧画面３８の一例を示した図である。このヘッダ情報一覧画面３８には、ユーザが指定した被呼側装置Ｂにおけるメモリボックス３６のボックス番号、例えば「取り出したい原稿を指定して下さい」などの実画像データの指定を促す旨のメッセージ、ファイル作成日時やデータサイズなどのメモリボックス３６内に保存（蓄積）されている全画像ファイルのヘッダ情報のリストが表示されている。ユーザは、このヘッダ情報一覧画面３８に表示されたヘッダ情報のリストを見て、ポーリング通信開始前にボックス番号を入力した被呼側装置Ｂのメモリボックス３６内にどのような画像ファイル（実画像データ）が蓄積されているかを取り出したい実画像データを指定する前に予め把握することができる。なお、液晶表示装置１３はタッチパネル式のものであり、ユーザは、このヘッダ情報一覧画面３８に指などで触れることにより、リストに含まれるヘッダ情報を指定でき、これにより、指定されたヘッダ情報が付加された実画像データをメモリボックス３６から取り出したい実画像データとして指定できるようになっている。また、操作部８からの指定も当然可能である。
【００５９】
図８は、Ｓ６において、被呼側装置Ｂにヘッダ情報とサムネイル情報の両方のリストの送信を要求し、被呼側装置Ｂからヘッダ情報とサムネイル情報の両方のリストを受信した場合に、Ｓ８において液晶表示装置１３に表示されるヘッダ・サムネイル情報一覧画面３９の一例を示した図である。このヘッダ・サムネイル情報一覧画面３９には、ユーザが指定した被呼側装置Ｂにおけるメモリボックス３６のボックス番号と、例えば「取り出したい原稿を指定して下さい」などの実画像データの指定を促す旨のメッセージと、メモリボックス３６内に保存されている全画像ファイルのサムネイル情報（縮小画像）とファイル作成日時やデータサイズなどのヘッダ情報の両方のリストが表示されている。ユーザは、このヘッダ・サムネイル情報一覧画面３９に表示されたヘッダ情報とサムネイル情報の両方のリストを見て、ポーリング通信開始前に指定した被呼側装置Ｂのメモリボックス３６内にどのような画像ファイル（実画像データ）が蓄積されているかを取り出したい実画像データを指定する前に予め把握することができる。また、ユーザは、ヘッダ情報とサムネイル画像の両方が表示されたこのヘッダ・サムネイル情報一覧画面３９に指などで触れることにより、リストに含まれるヘッダ情報又はサムネイル情報を指定でき、これにより、指定されたヘッダ情報又はサムネイル情報が付加された実画像データをメモリボックス３６から取り出したい実画像データとして指定できるようになっている。なお、このヘッダ・サムネイル情報一覧画面３９では、上記のヘッダ情報一覧画面３８に対して、ヘッダ情報のリストに加えてサムネイル情報のリストが表示されているため、ユーザはメモリボックス３６内にどのような実画像データが蓄積されているかをより明確に把握することができる。したがって、この表示画面又は操作部８から実画像データを正確に指定することができる。
【００６０】
なお、ここでは、ヘッダ情報とサムネイル情報のうち、ヘッダ情報のみのリストが表示されたヘッダ情報一覧画面３８と、ヘッダ情報とサムネイル情報の両方のリストが表示されたヘッダ・サムネイル情報一覧画面３９と、について説明したが、Ｓ２の報知処理に対してユーザがサムネイル情報のリストの送信を被呼側装置Ｂに要求するように選択した場合には、Ｓ８においてサムネイル情報のみのリストが表示されたサムネイル情報一覧画面（不図示）を液晶表示装置１３に表示させるようにすればよい。
【００６１】
図９は、発呼側装置Ａが被呼側装置Ｂから受信したサムネイル情報のリストを記録した記録紙４０を例示した図である。この記録紙４０には、ユーザが指定した被呼側装置Ｂにおけるメモリボックス３６のボックス番号と、例えば「取り出したい原稿を指定して下さい」などの実画像データの指定を促す旨のメッセージと、被呼側装置Ｂから受信したサムネイル情報のリストが記録されており、ユーザは、この記録紙４０を見て、被呼側装置Ｂのメモリボックス３６内にどのような実画像データが蓄積されているかを取り出したい実画像データを指定する前に予め把握することができる。なお、この記録紙４０に記録されたサムネイル情報には、それぞれ識別番号が付与されており、ユーザは、任意の識別番号を液晶表示装置１３又は操作部８のテンキーから入力してリストに含まれるサムネイル情報を指定でき、これにより、指定されたサムネイル情報が付加された実画像データをメモリボックス３６から取り出したい実画像データとして指定できるようになっている。
【００６２】
図８及び図９に基づいて説明したように、液晶表示装置１３又は液晶表示装置１３と記録部７の両方は、被呼側装置Ｂから受信したヘッダ情報のリスト、サムネイル情報のリスト、又はヘッダ情報のリストとサムネイル情報のリストの両方を出力して該リストに含まれる情報（ヘッダ情報又はサムネイル情報）の指定を受付ける指定受付手段として機能する。
【００６３】
制御部１は、このようにしてＳ８の報知処理を行った後、液晶表示装置１３の表示画面がタッチされて、又は操作部８の操作キーが操作されて情報（ヘッダ情報又はサムネイル情報）が指定されたか否かを判断する（Ｓ９）。そして、第２の要求手段として機能する制御部１は、情報が指定されたと判断した場合（Ｓ９：ＹＥＳ）、被呼側装置Ｂに再度発呼し（Ｓ１０）、ユーザによる指定を受付けた情報（ヘッダ情報又はサムネイル情報）が付加された実画像データの送信を被呼側装置（外部装置）Ｂに要求する（Ｓ１１）。具体的には、図３に示す手順Ｐ１においてＣＮＧ信号を被呼側装置Ｂに送信した後に、手順Ｐ４において、リスト送信要求情報の代わりに、ユーザにより指定された情報が付加された実画像データの送信を要求する情報を含めたＮＳＣ信号を被呼側装置Ｂに対して送信する。なお、ＮＳＣ信号に含まれる情報が異なる点などを除き、上記と同様に手順Ｐ１乃至手順Ｐ６が発呼側装置Ａと被呼側装置Ｂとの間で行われる。
【００６４】
被呼側装置Ｂの制御部２１は、ＮＳＣ信号とともに発呼側装置Ａから受信したＤＴＣ信号に基づいてポーリング送信要求があったと判断し（Ｓ２２：ＹＥＳ）、ＮＳＣ信号に含まれている情報を抽出する。ここでは、制御部２１は、ユーザによって指定されたヘッダ情報又はサムネイル情報のいずれかの情報が付加された実画像データの送信を要求する情報がＮＳＣ信号に含まれているので、Ｓ２４及びＳ２６でいずれも送信要求がなかったと判断し（Ｓ２４：ＮＯ、Ｓ２６：ＮＯ）、実画像データの送信要求があったか否かを判断し（Ｓ２８）、実画像データの送信要求があったと判断する（Ｓ２８：ＹＥＳ）。そして、第２の送信手段として機能する制御部２１は、ヘッダ情報のみのリスト、サムネイル情報のみのリスト、又はヘッダ情報とサムネイル情報の両方のリストの送信後に、発呼側装置Ａから送信要求があった実画像データを発呼側装置Ａに送信する（Ｓ３０、Ｐ７）。すなわち、送信要求があった実画像データを含む画像ファイルをＳＥＰ信号に含まれているボックス番号（サブアドレス）とＮＳＣ信号に含まれている送信要求の情報から特定し、画像ファイルからその実画像データを抽出して発呼側装置Ａに送信する。
【００６５】
第２の受信手段として機能する発呼側装置Ａの制御部１は、Ｓ１１の送信要求に応じて被呼側装置（外部装置）Ｂから送信された実画像データ（ＰＩＸ信号）を受信してポーリング通信を完了する（Ｓ１３）。すなわち、被呼側装置Ｂの手順Ｐ７及びＰ８によりＰＩＸ信号及びＥＯＰ信号を受信した後にＭＣＦ信号を被呼側装置Ｂに送信し、被呼側装置ＢからＤＣＮ信号を受信して通信手順が完了する（Ｐ９）。
【００６６】
以上説明したように、発呼側装置ＡのＳ８乃至Ｓ１２、及び被呼側装置ＢのＳ３０の処理動作ステップにより、発呼側装置Ａが取り出したヘッダ情報とサムネイル情報の両方又はいずれか一方のリストを出力して該リストに含まれる情報（ヘッダ情報又はサムネイル情報）の指定を受付けるとともに、指定された前記情報が付加された実画像データをポーリング通信により被呼側装置Ｂから取り出している。このようにして発呼側装置Ａが被呼側装置Ｂから取り出した実画像データは、画像メモリ６に格納され、記録部７においてその画像を用紙に記録したり、ファクシミリ送信に使用したりすることができる。
【００６７】
なお、被呼側装置Ｂから受信する実画像データは１つに限らず、複数の実画像データを送信させるための情報を含んだＮＳＣ信号を被呼側装置Ｂに送信して、被呼側装置Ｂから複数の実画像データを受信することも可能である。また、発呼側装置Ａのユーザは、ボックス番号を指定せず、被呼側装置ＢからＨＤＤ３１に蓄積されている全画像ファイルを対象としたリストを取得して取り出したい実画像データを指定することも当然可能である。
【００６８】
ところで、被呼側装置Ｂは、上記のように、ヘッダ情報のリスト、サムネイル情報のリスト、ヘッダ情報とサムネイル情報の両方のリスト、又は実画像データをＰＩＸ信号として発呼側装置Ａに送信するが、送信するデータにコード信号であるヘッダ情報が含まれている場合には、ヘッダ情報を含むイメージ画像（ラスタ画像）データを生成してＰＩＸ信号として発呼側装置Ａに送信すればよい。また、ヘッダ情報をコード信号の状態で送信し、発呼側装置Ａにおいてイメージ画像データを生成させるようにしてもよい。すなわち、前者の場合、ヘッダ情報もサムネイル情報や実画像データと同様にイメージ画像データとして発呼側装置Ａに送信される。また、ここでは、発呼側装置Ａが被呼側装置Ｂからリストを取得した後に、一度回線が切断され、発呼側装置Ａが再発呼して実画像データの送信要求を行っているが、発呼側装置Ａと被呼側装置Ｂとの間の回線を切断することなく、一連の通信処理を行うようにすることも可能である。
【００６９】
なお、本実施形態においては、ＪＰＥＧ形式のカラー画像データが被呼側装置Ｂのメモリボックス３６に蓄積されており、そのカラー画像データに含まれているヘッダ情報とサムネイル情報の両方のリスト又はいずれか一方のリストに基づいて、発呼側装置Ａのユーザが実画像データ（カラー画像データ）を指定する場合について説明したが、ＨＤＤ３１に蓄積されている画像ファイルは、カラー画像ファイルに限定されるものではなく、モノクロ画像ファイルであってもよい。
【００７０】
ただし、モノクロ画像ファイルが蓄積されている場合、カラー画像ファイルに比べてそのデータ量は少ないため、ヘッダ情報やサムネイル情報のリストではなく、実画像データのリストを送信することも可能である。これに対し、カラー画像データの場合、モノクロ画像データに比べてそのデータ量が多いため、実画像データのリストを送信すると、通信コストがかかるなどの問題が生じる。したがって、本実施形態のように、画像ファイルに含まれるヘッダ情報やサムネイル情報のリストを被呼側装置Ｂから発呼側装置Ａに送信することにより、発呼側装置Ａに送信するデータ量を極力少なくして、発呼側装置Ａにおけるユーザの実画像データ（ヘッダ情報又はサムネイル情報）の指定を容易にすることができる。
【産業上の利用可能性】
【００７１】
本発明は、例えば、ポーリング通信機能を備えたファクシミリ装置、コピー機能やファクシミリ機能を併せ持つ複合機等に適用可能である。
【図面の簡単な説明】
【００７２】
【図１】本発明の実施の形態に係る発呼側装置及び被呼側装置の構成例を示したブロック図である。
【図２】被呼側装置に蓄積されている画像ファイルのデータ構造を概略的に示した図である。
【図３】発呼側装置と被呼側装置との間での信号の送受信状態を示すタイミングチャートである。
【図４】被呼側装置との間でポーリング通信を行う際に、発呼側装置で行われる処理動作を示したフローチャートである。
【図５】被呼側装置との間でポーリング通信を行う際に、発呼側装置で行われる処理動作を示したフローチャートである。
【図６】発呼側装置との間でポーリング通信を行う際に、被呼側装置で行われる処理動作を示したフローチャートである。
【図７】被呼側装置からヘッダ情報のリストを受信した場合に、発呼側装置の液晶表示装置に表示される表示画面の一例を示した図である。
【図８】被呼側装置からヘッダ情報とサムネイル情報の両方のリストを受信した場合に、発呼側装置の液晶表示装置に表示される表示画面の一例を示した図である。
【図９】発呼側装置が被呼側装置から受信したサムネイル情報のリストが記録された記録紙の一例を示した図である。
【符号の説明】
【００７３】
Ａ    発呼側装置（発呼側のファクシミリ装置、被呼側装置に対する外部装置）
Ｂ    被呼側装置（被呼側のファクシミリ装置、発呼側装置に対する外部装置）
１、２１    制御部（ＭＰＵ）
２、２２    ＲＯＭ
７    記録部
８    操作部
１０、３０    通信部
１３    液晶表示装置
１７    ＰＳＴＮ
３１    ＨＤＤ
３６    メモリボックス
【図１】
2006101420.tif 000003
【図２】
2006101420.tif 000004
【図３】
2006101420.tif 000005
【図４】
2006101420.tif 000006
【図５】
2006101420.tif 000007
【図６】
2006101420.tif 000008
【図７】
2006101420.tif 000009
【図８】
2006101420.tif 000010
【図９】
2006101420.tif 000011